(57)【要約】      （修正有）【課題】水泳用プールに対して、太陽光発電パネルの設置及び撤去を容易に行うことができる太陽光発電パネル設置構造を提供する。【解決手段】水面に浮かぶ複数の線材１の夫々の両端部を、水泳用プールの向かい合う壁面に夫々着脱自在に取り付け、前記向かい合う壁面に架け渡された状態にある線材１の間に太陽光発電パネル２を配置する。そして、太陽光発電パネル２を支持する脚部３を線材１に取り付ける。水泳用プールの向かい合う壁面に架け渡された状態にある線材１に、太陽光発電パネル２を支持する脚部３を取り付けるのみで設置できる。また、その脚部３を線材１から取り外すのみで撤去できる。【選択図】図１
2015012027.tif 000002
【特許請求の範囲】
【請求項１】
水面に浮遊する複数の線材の夫々の両端部を、水泳用プールの向かい合う壁面に夫々着脱自在に取り付け、前記向かい合う壁面に架け渡された状態にある前記線材材の間に太陽光発電パネルを配置し、前記太陽光発電パネルを支持する脚部を前記線材に取り付けたことを特徴とする太陽光発電パネル設置構造。
【請求項２】
前記脚部は、前記線材から水面より離れる方向に起立し、前記水面に対する傾斜角度が可変となっている請求項１に記載の太陽光発電パネル設置構造。

【発明の詳細な説明】
【技術分野】
【０００１】
本発明は、太陽光発電パネルを所定の場所に設置するための太陽光発電パネル設置構造に関するものである。
【背景技術】
【０００２】
近年、石油火力発電や原子力発電に代わるものとして太陽光発電が着目されている。しかしながら、実用に十分な電力を得るためには、太陽光発電パネルの設置面積を大きくする必要がある。そのため、事業として太陽光発電を行う場合には、郊外の遊休地に大量の太陽光発電パネルが設置されている。
【０００３】
太陽光発電パネルが事業用として設置される主な遊休地として、未使用の工場建設用地などが考えられるが、近年では、その他にも様々な設置場所が検討されている。例えば、特開２００７−１８０２９４号公報には、浄水場の処理層内の液面を覆う状態で配置される太陽光発電装置が提案されている。また、特開２００７−１７３７１０号公報、特開２００４−７１９６５号公報には、湖沼やプールの水面上に設置する太陽光発電装置が提案されている。
【先行技術文献】
【特許文献】
【０００４】
【特許文献１】特開２００７−１８０２９４号公報
【特許文献２】特開２００７−１７３７１０号公報
【特許文献３】特開２００４−７１９６５号公報
【発明の開示】
【発明が解決しようとする課題】
【０００５】
小学校や中学校に設けられている水泳用プールは、使用される期間が夏季に限定されており、一年を通じて使用されない期間が長くなっている。そこで、この使用されていない期間に、太陽光発電パネルを設置することで、有効利用を図ることが考えられる。しかしながら、従来の構造では、設備が大がかりなものとなり、夏季に使用する前の撤去作業や、使用される期間が過ぎた後の設置作業に手間や時間ががかかるという問題があった。
【０００６】
そこで、本発明は、水泳用プールに対して、太陽光発電パネルの設置及び撤去を容易に行うことができる太陽光発電パネル設置構造を提供することを目的とする。
【課題を解決するための手段】
【０００７】
本発明に係る太陽光発電パネル設置構造では、水面に浮かぶ複数の線材の夫々の両端部を、水泳用プールの向かい合う壁面に夫々着脱自在に取り付け、前記向かい合う壁面に架け渡された状態にある前記線材材の間に太陽光発電パネルを配置する。そして、前記太陽光発電パネルを支持する脚部を前記線材に取り付ける。
【０００８】
前記脚部は、前記線材から水面より離れる方向に起立し、前記水面に対する傾斜角度が可変となっていてもよい。
【発明の効果】
【０００９】
本発明に係る太陽光発電パネル設置構造によれば、水泳用プールの向かい合う壁面に架け渡された状態にある線材に、太陽光発電パネルを支持する脚部を取り付けるのみで設置できる。また、その脚部を線材から取り外すのみで撤去できる。従って、水泳用プールに対する太陽光発電パネルの設置及び撤去を容易に行うことができる。
【００１０】
太陽光発電パネルは、水面に設置してもよく、或いは、水面上方の水面から離れた位置に設置してもよい。水面上方の水面から離れた位置に設置する場合、太陽光発電パネルを支持する脚部は、線材から水面より離れる方向に起立したものとすればよい。なお、脚部の水面に対する傾斜角度を可変とすれば、太陽の南中角度にあわせて太陽光発電パネルの傾斜角度を調整することができ、簡単な構造でありながら発電効率を高めることが可能となる。一方、水面に設置した場合、太陽光発電パネルが水で冷却されることによる発電効率の向上を図ることができる。
【図面の簡単な説明】
【００１１】
【図１】本発明に係る太陽光発電パネル設置構造の実施形態の斜視図である。
【図２】太陽光発電パネル設置構造の正面図である。
【図３】脚部の取付部を拡大して示す図である。
【図４】太陽光発電パネル設置構造の平面図である。
【図５】コースロープに浮きを付加した太陽光発電パネル設置構造の平面図である。
【図６】本発明に係る太陽光発電パネル設置構造の他の実施形態の正面図である。
【発明を実施するための形態】
【００１２】
図１〜５を参照しながら、本発明に係る太陽光発電パネル設置構造の実施形態について説明する。
【００１３】
この太陽光発電パネル設置構造では、プール設備に備えられているコースロープが使用され、水泳用プールに太陽光発電パネルが設置されている。コースロープ１は、本発明の水面に浮かぶ線材に相当し、合成樹脂で形成された円盤１ａの複数を、それらの中心を貫通するワイヤーロープ１ｂで連結させた公知の形状をなすものである。コースロープ１の両端は図示しない水泳用プールの壁面に設けられた取付部に着脱自在に取り付けられている。そして、水泳用プールの向かい合う壁面に、複数本が平行して架け渡された状態とされている。
【００１４】
隣接するコースロープ１、１の間に、太陽光発電パネル２が配置されている。太陽光発電パネル２は、扁平した箱型をなし、上面が受光面２ａとされている。なお、コースロープ１の間に配置できるものであれば大きさ等に制限はなく、公知の製品を使用できるが、コースロープ１の浮力を考慮し、できるだけ軽量なものを採用することが好ましい。例えば、軽量フレームの採用されているタイプとしてＦＣＴ−２２０Ｙ（製品名、フジプレ販売株式会社）を使用できる。また、この製品は、アルミフレームを薄くすることにより軽量化を図ったものであるが、フレームとしてＦＲＰなどのより軽量な素材を使用し、更なる軽量化を図ったものを使用してもよい。
【００１５】
太陽光発電パネル２の側面には、４本の脚部３が設けられている。脚部３は、長尺の板材で形成され、太陽光発電パネル２からの延出方向及び延出長さを同じくする２本を一組として、それら各組が太陽光発電パネル２から反対方向に延出する配置で設けられている。また、脚部３は、太陽光発電パネル２の側面に支軸３ａを介して取り付けられ、図２に示すように、脚部３の各組ごとの受光面２ａに対する角度θ１、θ２が調整可能とされている。なお、図２において、ワイヤーロープ１ｂは、脚部３が取り付けられた部位の断面として示されている。
【００１６】
脚部３の自由端は、コースロープ１に取り付けるための係止部となっている。係止部は、図３に示すように、脚部３の自由端近傍に設けられた厚さ方向に貫通する孔３ｂと、脚部３の端面から孔３ｂに至る切欠き３ｃを有する。孔３ｂは脚部３の長さ方向に伸び、切欠き３ｃを通して孔３ｂに挿入したワイヤーロープ１ｂを孔３ｂの端部に配置することで、脚部３とコースロープ１の相対移動を制限し、脚部３のコースロープ１に対する取り付け状態を安定させるものとなっている。なお、図３において、ワイヤーロープ１ｂは、脚部３が取り付けられた部位の断面として示されている。
【００１７】
この太陽光発電パネル設置構造によれば、水泳用プールの向かい合う壁面に架け渡された状態にあるコースロープ１に、脚部３を係止させるのみの簡単な操作で、太陽光発電パネル２を設置できる。また、脚部３の自由端近傍に設けた孔３ｂにワイヤーロープ１ｂが挿通され、コースロープ１に取り付けられた状態にある脚部３は、切欠き３ｃを通してワイヤーロープ１ｂを孔３ｂから抜き出すのみの簡単な操作で、コースロープ１から取り外すことができる。そして、脚部３をコースロープから取り外すことにより、太陽光発電パネル２を水面から簡単に撤去することができる。
【００１８】
更に、この太陽光発電パネル設置構造によれば、図２に示すように、脚部３の各組ごとの受光面２ａに対する角度θ１、θ２が調整可能とされているため、太陽の南中角度にあわせて太陽光発電パネル２の傾斜角度を調整することができ、簡単な構造でありながら発電効率を高めることが可能となる。
【００１９】
太陽光発電パネル２は、図４に示すように、コースロープ１に沿って複数を並べて設置することができる。なお、太陽光発電パネル２の設置数が増えることにより、太陽光発電パネル２及び脚部３の合計重量に対するコースロープ１の浮力が不足する場合は、図５に示すように、浮力を増すための浮き４をコースロープ１に付加してもよい。この際、浮き４のコースロープ１への取付には、太陽光発電パネル２の支持に使用している脚部３を転用してもよい。また、コースロープ１に替えて、より浮力の大きい線材、例えば、円盤１ａとして通常のコースロープよりも浮力の大きいものを採用した線材を使用してもよい。ただし、コースロープは、通常、プール施設に備えられているため、これを利用することにより、新たな設備を要することなく、太陽光発電パネル２を設置することができるという利点がある。
【００２０】
図１〜５に示す実施形態において、太陽光発電パネル２は、水面上方の水面から離れた位置に設置されているが、水面に設置してもよい。太陽光発電パネル２が水面に設置される構造を図６に示す。なお、図６において、図１〜５に示す実施形態と実質的に同じ部分には同符号を付し説明を省略または簡略化する。
【００２１】
図６に示す太陽光発電パネル設置構造では、太陽光発電パネル２の側面に環状部５が設けられ、そこに挿通された固定用ワイヤー６を、コースロープ１のワイヤーロープ１ｂに括り付けることによって、コースロープ１に取り付けるものとなっている。この構造では、専用の治具等を用いることなく、一般に広く普及しているワイヤーを使用して簡単に設置することができる。また、固定用ワイヤー６を切断する作業のみで、太陽光発電パネル２を簡単に撤去することができる。
【００２２】
また、この構造では、太陽の南中角度にあわせた太陽光発電パネル２の傾斜角度の調整はできないが、太陽光発電パネル２が水で冷却されることによる発電効率の向上を図ることができる。更に、太陽光発電パネル２に浮力が働くため、同じコースロープ１を用いた場合でも、図１〜５に示す設置構造と比較し、浮き４を使用することなく設置数を増やすことができる。
【符号の説明】
【００２３】
１    コースロープ
１ａ  円盤
１ｂ  ワイヤーロープ
２    太陽光発電パネル
２ａ  受光面
３    脚部
３ａ  支軸
３ｂ  孔
３ｃ  切欠き
４    浮き
５    環状部
６    固定用ワイヤー
【図１】
2015012027.tif 000003
【図２】
2015012027.tif 000004
【図３】
2015012027.tif 000005
【図４】
2015012027.tif 000006
【図５】
2015012027.tif 000007
【図６】
2015012027.tif 000008